(57)【要約】【課題】記録データを再生する際の再生態様変更のリアルタイム性を確保した音楽データ記録再生装置を提供することを目的とする。【解決手段】制御部２００は、通常時には記録部３０に記録されている所定アドレス範囲に音楽データを繰り返してループ状に再生している。そして、制御部２００は、或るフレーズの再生途中において操作子１１１、１１２、…１１３の選択操作が行われたことに応答して、新たに選択された再生パターンでの再生を始めるように再生制御を行うので、音楽記録データを再生する際の再生パターン変更のリアルタイム性を確保することが可能となる。【選択図】図１
2008009026.tif 000002
【特許請求の範囲】
【請求項１】
音楽データを記録する記録手段と、
この記録手段に記録されている所定アドレス範囲の音楽データを繰り返してループ状に再生する再生手段と、
複数種類の再生パターンの内のいずれか一つを選択する選択手段と、
前記再生手段による再生途中において前記選択手段の選択操作が行われたことに応答して、新たに選択された再生パターンでの再生を始めるように、前記再生手段を制御する制御手段と、を備えたことを特徴とする音楽データ記録再生装置
【請求項２】
請求項１に記載の装置において、
前記選択手段が選択しうる前記複数種類の再生パターンは、設定操作で内容変更可能に構成されていることを特徴とする音楽データ記録再生装置。
【発明の詳細な説明】
【技術分野】
【０００１】
本発明は、楽音信号等の音楽データの記録、再生を行う音楽データ記録再生装置に係わり、特にその再生時の再生パターンの変更処理技術の改良に関する。
【背景技術】
【０００２】
音楽データを記録しておき、これをループ状に再生するタイプの音楽データ記録再生装置として様々なものが提案されており、再生時に特殊な再生処理を施すための工夫も多々されてきた。例えば、録音済みの１フレーズの音楽データを８個の音楽素片データに分割しこの音楽素片データを用いて再生を行うものが提案されている（例えば、特許文献１参照）。この装置においては、複数種類の音楽素片データの読出し順番と読出し態様とをメーカー側が固定的に記録しておく。そして、ユーザーがつまみ操作により、この固定的に記録されている内の或る音楽素片データの読出し順番と或る読出し態様とを選択し、この選択された音楽素片データの読出し順番とその読出し態様に基づいて記録データの再生を行うといったものであった。
【０００３】
【特許文献１】特開２００５−１６５３５７号公報（第１１−１６頁、第８図）
【発明の開示】
【発明が解決しようとする課題】
【０００４】
しかしながら、上記従来装置においては、選択しうる音楽素片データの読出し順番とその読出し態様とが固定的であって、再生音楽データの長さ等をユーザー側で任意に設定することができないといった問題や、ループ再生中の任意の箇所で音楽素片データの読出し順番や再生態様の変更が行えないという問題があった。つまり、従来装置は１フレーズの再生を待って再生態様等を新たに変更可能となるにすぎず、ユーザーが期待する再生態様変更のリアルタイム性が確保されていなかった。
【０００５】
本発明は、かかる従来の課題を解決するためになされたもので、記録データを再生する際の再生パターン変更のリアルタイム性を確保した音楽データ記録再生装置を提供することを目的とする。
【課題を解決するための手段】
【０００６】
上記目的を達成するために、本発明は、音楽データを記録する記録手段と、
この記録手段に記録されている所定アドレス範囲の音楽データを繰り返してループ状に再生する再生手段と、
複数種類の再生パターンの内のいずれか一つを選択する選択手段と、
前記再生手段による再生途中において前記選択手段の選択操作が行われたことに応答して、新たに選択された再生パターンでの再生を始めるように、前記再生手段を制御する制御手段と、を備えたことを特徴とするようにした。
【０００７】
本発明によれば、制御手段は、再生手段による再生途中において選択手段の選択操作が行われたことに応答して、新たに選択された再生パターンでの再生を始めるように、再生手段を制御するので、音楽記録データを再生する際の再生パターン変更のリアルタイム性を確保することが可能となる。
【０００８】
また、選択手段が選択しうる複数種類の再生パターンは、設定操作で内容変更可能に構成されていることを特徴とする構成も提供される。これによれば再生パターンはユーザーが設定できるので、複数の固定的な再生パターンでの再生では満足しないユーザの支持も得られる。
【発明の効果】
【０００９】
本発明によれば、音楽記録データを再生する際の再生パターン変更のリアルタイム性を確保することを可能とするという効果が得られる。
【発明を実施するための最良の形態】
【００１０】
以下、本発明を実施するための最良の形態を図面を参照しつつ説明する。
【００１１】
（構成）  
図１は本発明の実施形態である音楽データ記録再生装置１の構成図である。本装置１は、楽音信号等の音楽データを入力しこれをアナログデジタル変換するＡ／Ｄ変換器１０と、デジタル信号をアナログ信号に変換するＤ／Ａ変換器２０と、この変換後のアナログ信号を拡声するスピーカー５０とを有する。また、装置動作全体の制御を行う制御部２００には、音楽データを記録するための記録部３０、所望の表示を行うための表示部４０、各種操作を行うための操作子群１００とが接続されて所要の情報が送受信されるように構成されている。
【００１２】
また、操作子群１００は、操作子１０１、１０２、１０３、…、操作子１１１、１１２、１１３、…を備えていて、不図示の必要な操作子も備えている。そして、制御部２００は、例えばＣＰＵ、ＤＳＰ等のプロセッサーで実現可能となっている。
【００１３】
（動作）
先ず、通常の録音、再生操作について説明する。今、楽音信号が入力されている場合において、操作子（ＲＥＣ）１０１をオンすると、制御部２００は、Ａ／Ｄ変換器１０によってアナログデジタル変換されたデジタル信号を記録部３０に記録する。また、操作子（ＰＬＡＹ）１０２をオンすると、制御部２００は、記録部３０内の所定スタートアドレスから所定エンドアドレス（所定アドレス範囲）までに対応する音楽データを繰り返しループ状に再生し、この再生音はＤ／Ａ変換器２０によってデジタルアナログ変換されてスピーカー５０から放音される。かくして、所望の音楽データの記録、再生が行われる。そして、操作子（ＳＴＯＰ）１０３をオンすると、ループ状の再生動作が停止される。なお、上記所定スタートアドレス、所定エンドアドレスは、不図示の操作子の操作によってユーザーが設定変更可能になっている。
【００１４】
つまり、再生音楽データを１フレーズとし、これが所定長の８個の音楽素片データにて構成されていると想定した場合には、図３（ａ）に示す「音楽素片データ１」から「音楽素片データ８」までの各音楽素片データが通常の順番で繰り返し再生されることになる。
【００１５】
次に本実施形態の特徴的な動作について説明する。先ず、操作子（Ｎｏ．１）１１１に対しての再生パターンは図３（ｂ）に示すように設定してこの設定情報を記録部３０に記録しておく。この設定情報は不図示の操作子を使用してユーザが設定可能に構成されている。この場合には３個の音楽素片データ（素片１、素片２，素片３）を順番に再生するパターンであり，この再生パターンでは、通常の場合（図３（ａ）の場合）に比べて音楽データ素片数が少なくなっている。
【００１６】
同様に、操作子（Ｎｏ．２）１１２に対しての再生パターンは図３（ｃ）に示すように設定してこの設定情報を記録部３０に記録しておく。この設定情報は不図示の操作子を使用してユーザが設定可能に構成されている。この場合には８個の音楽素片データを再生するパターンであるが、通常の場合（図３（ａ）の場合）に比べて音楽データ素片の再生順番が変更されたものである。このように、ユーザは操作子１１１、１１２、…、１１３に対して、その再生長や再生順番を通常再生パターンに比べて変更したパターンとして設定しておくことが可能になっている。そして、設定情報は記録部３０に一時的保存させておくことや不揮発的に保存させることが可能な構成となっている。なお、図３（ｂ）、（ｃ）は再生パターンの一例にすぎない。
【００１７】
さて、音楽データの再生動作について図３を参照して説明する。ステップＳ２００においては、変数ｉｎｄｅｘを「１」としステップＳ２０５において、選択された再生パターンを構成する第１番目に音楽素片データを把握し、ステップＳ２１０に進む。ステップＳ２１０では最初の音楽素片データを再生し、当該素片の終端まで再生したか否かを判定する。素片終端でない場合（Ｎｏ）にはステップＳ２１０に移行して再生を継続し、一方素片終端である場合（Ｙｅｓ）にはステップＳ２２０に移行する。ステップＳ２２０においては、変数「Ｉｎｄｅｘ」が音楽素片データ総数（素片番号リスト終端）以上になったか否かを判定し、変数「Ｉｎｄｅｘ」が素片番号リスト終端以上である場合にはステップＳ２００に移行して繰り返しループ再生を行う。一方、これ以外の場合（ステップＳ２２０でＮｏ）にはステップＳ２３０に移行して変数「Ｉｎｄｅｘ」を「１」だけインクリメントしてステップＳ２０５に移行する。
【００１８】
この結果、操作子１１１を操作した場合においては、図３（ｂ）に示すように３個の素片が「素片１、素片２、素片３」の順番でループ状に再生されることになる。同様に、操作子１１２を操作した場合には、８個の素片が「素片１、素片２，素片１、素片４、素片１、素片６，素片３、素片８」の順番でループ状に再生されることになる。
【００１９】
しかもこれらの再生パターンの変更による新たな再生は、既にループ再生されている途中で可能である。図４はこの時の動作を示した説明図である。１フレーズの再生中の時刻ｔ１において操作子を操作して再生パターンを変更すると、以降、新再生パターンでの音楽データの再生が瞬時にして開始可能となる。
【００２０】
以上説明したように、制御部２００は、或るフレーズの再生途中において操作子１１１、１１２、…１１３の選択操作が行われたことに応答して、新たに選択された再生パターンでの再生を始めるように再生制御を行うので、音楽記録データを再生する際の再生パターン変更のリアルタイム性を確保することが可能となる。また、選択しうる複数種類の再生パターンは、不図示の操作子の設定操作で内容変更可能に構成されているので、再生パターンはユーザーが設定でき、複数の固定的な再生パターンでの再生では満足しないユーザの支持も得られる。
【００２１】
なお、本実施形態において、制御部２００の処理により音楽データに効果を付加する構成としても良い。
【産業上の利用可能性】
【００２２】
以上説明してきたように、本発明に係る音楽データ記録再生装置は音楽分野等で利用することができる。
【図面の簡単な説明】
【００２３】
【図１】音楽データ記録再生装置１の構成図である。
【図２】動作の説明図である。
【図３】動作の説明図である。
【図４】動作の説明図である。
【符号の説明】
【００２４】
１  音楽データ記録再生装置
１０  Ａ／Ｄ変換器
２０  Ｄ／Ａ変換器
３０  記録部
４０  表示部  
１００  操作子群
１０１  操作子
１０２  操作子
１０３  操作子
１１１  操作子
１１２  操作子
１１３  操作子
２００  制御部
【図１】
2008009026.tif 000003
【図２】
2008009026.tif 000004
【図３】
2008009026.tif 000005
【図４】
2008009026.tif 000006